(57)【特許請求の範囲】
【請求項１】
ケーブル（１２）を束ねて一束化するための螺旋状ケーブル支持具（１）であって、
右回り螺旋部（４）と左回り螺旋部（５）とが軸線（２）に沿って交互に連続して連結されており、
前記左回り螺旋部（５）が前記右回り螺旋部（４）に変わる部位がｎ型頂点（６）となっているとともに、前記右回り螺旋部（４）が前記左回り螺旋部（５）に変わる部位がｕ型頂点（７）となっており、
前記ｎ型頂点（６）の位置が前記ｕ型頂点（７）の位置よりも上方であり、
前記ｎ型頂点（６）と前記ｕ型頂点（７）との間の前記右回り螺旋部（４）によって構成される第１の区間（Ｐ1）および前記ｕ型頂点（７）と前記ｎ型頂点（６）との間の前記左回り螺旋部（５）によって構成される第２の区間（Ｐ2）を前記軸線（２）の方向に見ると、前記右回り螺旋部（４）および前記左回り螺旋部（５）が円を描き、
前記第１の区間（Ｐ1）において前記ｎ型頂点（６）と前記ｕ型頂点（７）との間の前記右回り螺旋部（４）が描く円弧の第１の中心角（θ1）と前記第２の区間（Ｐ2）における前記左回り螺旋部（５）が描く円弧の第２の中心角（θ2）とが等しくかつ３６０°以上５４０°以下であり、
前記第１および第２の区間（Ｐ1，Ｐ2）に前記軸線（２）と平行な波線状の空間（１５）を作り、
前記ケーブル（１２）を、該ケーブル（１２）の一端から部分的に波線状に曲げながら前記空間（１５）を通して、前記軸線（２）に対して垂直な方向から前記螺旋状ケーブル支持具（１）に通線するようにした、
ことを特徴とする、螺旋状ケーブル支持具。
【請求項２】
前記螺旋状ケーブル支持具（１）が、前記右回り螺旋部（４）または前記左回り螺旋部（５）を半分に分割した螺旋部（５ａ，５ｂ）を両端にそれぞれ有し、
前記螺旋状ケーブル支持具（１）が、次の螺旋状ケーブル支持具と連結するための連結部材（８，９）を両端にそれぞれ有する、
ことを特徴とする、請求項１記載の螺旋状ケーブル支持具。
【請求項３】
ケーブル（１２）を束ねて一束化するための螺旋状ケーブル支持具（３１；４１）であって、
右回り螺旋部（３８；４８）と左回り螺旋部（３９；４９）とが軸線（２）に沿って交互に連続して連結されており、
前記左回り螺旋部（３９；４９）が前記右回り螺旋部（３８；４８）に変わる部位がｎ型頂点（３６；４６）となっているとともに、前記右回り螺旋部（３８；４８）が前記左回り螺旋部（３９；４９）に変わる部位がｕ型頂点（３７；４７）となっており、
前記ｎ型頂点（３６；４６）の位置が前記ｕ型頂点（３７；４７）の位置よりも下方であり、
前記ｎ型頂点（３６；４６）と前記ｕ型頂点（３７；４７）との間の前記右回り螺旋部（３８；４８）によって構成される第１の区間（Ｐ31；Ｐ41）および前記ｕ型頂点（３７；４７）と前記ｎ型頂点（３６；４６）との間の前記左回り螺旋部（３９；４９）によって構成される第２の区間（Ｐ32；Ｐ42）を前記軸線（２）の方向に見ると、前記右回り螺旋部（３８；４８）および前記左回り螺旋部（３９；４９）がＣ字状の円弧を描き、
前記第１の区間（Ｐ31；Ｐ41）における前記右回り螺旋部（３８；４８）が描くＣ字状の円弧の第１の中心角（θ31）と前記第２の区間（Ｐ32；Ｐ42）における前記左回り螺旋部（３９；４９）が描くＣ字状の円弧の第２の中心角（θ32）とが等しくかつ２７０°以上３６０°未満であり、
前記第１および第２の区間（Ｐ31，Ｐ32；Ｐ41，Ｐ42）に前記軸線（２）と平行な直線状の空間（３５；４５）を作り、
前記ケーブル（１２）を、曲げることなく前記空間（３５；４５）を通して、前記軸線（２）に対して垂直な方向から前記螺旋状ケーブル支持具（３１；４１）に通線するようにした、
ことを特徴とする、螺旋状ケーブル支持具。
【請求項４】
前記第１の区間（Ｐ41）を前記軸線（２）の方向に見ると、前記ｕ型頂点（４７）が、前記右回り螺旋部（４８）が前記軸線（２）を中止として描くＣ字状の円弧（４０）の内側に食い込んでいることを特徴とする、請求項３記載の螺旋状ケーブル支持具。
【請求項５】
前記螺旋状ケーブル支持具（３１；４１）が、前記右回り螺旋部（３８；４８）または前記左回り螺旋部（３９；４９）を半分に分割した螺旋部（３９ａ，３９ｂ；４９ａ，４９ｂ）を両端にそれぞれ有し、
前記螺旋状ケーブル支持具（３１；４１）が、次の螺旋状ケーブル支持具と連結するための連結部材（８，９）を両端にそれぞれ有する、
ことを特徴とする、請求項３または４記載の螺旋状ケーブル支持具。
【請求項６】
ケーブル（１２）を束ねて一束化するための螺旋状ケーブル支持具（５１）であって、
第１の右回り螺旋部（５８ａ）および第１の左回り螺旋部（５８ｂ）を連ねてなる第１の螺旋部（５８）と、第２の右回り螺旋部（５９ｂ）および第２の左回り螺旋部（５９ａ）を連ねてなる第２の螺旋部（５９）とが、前記第１の右回り螺旋部（５８ａ）および前記第２の左回り螺旋部（５９ａ）の第１の軸線（６０）に沿って交互に連続して連結されており、
前記第１の左回り螺旋部（５８ｂ）と前記第２の右回り螺旋部（５９ｂ）とが、前記第１の軸線（６０）と平行な第２の軸線（６１）を中心として形成されており、
前記第２の左回り螺旋部（５９ａ）が前記第１の右回り螺旋部（５８ａ）に変わる部位がｎ型頂点（５６）となっているとともに、前記第１の左回り螺旋部（５８ｂ）が前記第２の右回り螺旋部（５９ｂ）に変わる部位がｕ型頂点（５７）となっており、
前記第１の右回り螺旋部（５８ａ）によって構成される第１の区間（Ｐ51a）および前記第１の左回り螺旋部（５８ｂ）によって構成される第２の区間（Ｐ51b）を前記第１の軸線（６０）の方向に見ると、前記ｕ型頂点（５７）の片側の前記第１の左回り螺旋部（５８ｂ）が前記第２の軸線（６１）を中心とした、かつ、前記第１の右回り螺旋部（５８ａ）が描く前記第１の軸線（６０）を中心とした円弧と反対向きの曲線を有する円弧を描き、
前記第１および第２の区間（Ｐ51a，Ｐ51b）と前記第２の左回り螺旋部（５９ａ）によって構成される第３の区間（Ｐ52a）と前記第２の右回り螺旋部（５９ｂ）によって構成される第４の区間（Ｐ52b）とに前記第１の軸線（６０）と平行な直線状の空間（５５）を作り、
前記ケーブル（１２）を、曲げることなく前記空間（５５）を通して、前記第１の軸線（６０）に対して垂直な方向から前記螺旋状ケーブル支持具（５１）に通線するようにした、
ことを特徴とする、螺旋状ケーブル支持具。
【請求項７】
前記螺旋状ケーブル支持具（５１）が、前記第１の螺旋部（５８）または前記第２の螺旋部（５９）を半分に分割した螺旋部（５９ｃ，５９ｄ）を両端にそれぞれ有し、
前記螺旋状ケーブル支持具（５１）が、次の螺旋状ケーブル支持具と連結して延長するための連結部材（８，９）を両端にそれぞれ有する、
ことを特徴とする、請求項６記載の螺旋状ケーブル支持具。
【請求項８】
請求項１または２記載の螺旋状ケーブル支持具（１）にケーブル（１２）を通線するケーブル通線方法であって、
前記ケーブル（１２）を、該ケーブル（１２）の一端から部分的に波線状に曲げながら前記波線状の空間（１５）を通して、前記軸線（２）に対して垂直な方向から前記螺旋状ケーブル支持具（１）に通線していく、
ことを特徴とする、ケーブル通線方法。
【請求項９】
請求項３乃至７いずれかに記載の螺旋状ケーブル支持具（３１；４１；５１）にケーブル（１２）を通線するケーブル通線方法であって、
前記ケーブル（１２）を、曲げることなく前記直線状の空間（３５；４５；５５）を通して、前記軸線（２）または前記第１の軸線（６０）に対して垂直な方向から前記螺旋状ケーブル支持具（３１；４１；５１）に通線していく、
ことを特徴とする、ケーブル通線方法。
【発明の詳細な説明】
【技術分野】
【０００１】
本発明は、螺旋状ケーブル支持具およびケーブル通線方法に関し、特に、電線や光ケーブルなどのケーブルを束ねて一束化するのに好適な螺旋状ケーブル支持具およびケーブル通線方法に関する。
【背景技術】
【０００２】
従来、電線や光ケーブルなどのケーブルを束ねて一束化して架空支持するための螺旋状ケーブル支持具は、両端間を一方向に螺旋が形成された構造のものであり、電柱などの支柱間の間隔に応じた所要のスパン（たとえば、４０ｍ程度）に相当する長さまで引き延ばせる全長を有し、架線前は軸方向に収縮した状態に作られている。このような螺旋状ケーブル支持具では、２本の支柱間に架空したメッセンジャワイヤなどの支持線に螺旋状ケーブル支持具を挿通したのち、螺旋状ケーブル支持具の一端を一方の支柱に固定し、他端を支持線に沿って引き延ばし、他方の支柱に固定することで架設する（たとえば、下記の特許文献１参照）。
【０００３】
このような螺旋状ケーブル支持具は長尺に作られたコイル状の形状となるので、既設の支持線などに架設する場合には、螺旋状ケーブル支持具の一端を支持線に沿って一方向に回転させながら支持線を内部へ順次取り込んでいき、その取り込みが完了するまで螺旋状ケーブル支持具全体を回し続けなければならない。この作業には大きな力が必要であり（特に、螺旋状ケーブル支持具の線径が太くなるほど作業が大変であり）、かつ、螺旋状ケーブル支持具全体を回す回数も非常に多いことから、作業者に大きな負担をかける作業となっている。
【０００４】
そこで、下記の特許文献２には、所要のスパンに比べてはるかに短い（たとえば、１．５ｍ程度）全長を有し、両端に雌雄のコネクタを備えた比較的高剛性の短尺の螺旋状ケーブル支持具が提案されている。この螺旋状ケーブル支持具は、２本の支柱間に予め架渡された支持線などに螺旋状ケーブル支持具の端部を差し込み、螺旋に沿って一方向に回転させながらその支持線などを螺旋状ケーブル支持具内に取り込み、これに次の螺旋状ケーブル支持具をコネクタ接続により継ぎ足してゆき、この継ぎ足し作業を所要のスパンの長さになるまで何回も繰り返した上、その所要長さの両端付近を各支柱近傍の支持線などに固定することで架設する。
【０００５】
また、下記の特許文献３には、左回り螺旋部と右回り螺旋部とが反転部を介して軸線に沿って交互に連なり構成された螺旋状ケーブル支持具が提案されている。これは、任意の反転部を既設の支持線に対して差し込み、そのまま差し込み方向へ螺旋に沿って回転させることで支持線の内部へ取り込むことを可能としたものである。
【特許文献１】特公昭５２−４０３３号公報
【特許文献２】特開２００２−３４５１１６号公報
【特許文献３】特開２００５−１６８２８４号公報
【発明の開示】
【発明が解決しようとする課題】
【０００６】
しかしながら、特許文献２および特許文献３で提案されている螺旋状ケーブル支持具では、特許文献１で提案されている螺旋状ケーブル支持具に比べて、螺旋状ケーブル支持具内への支持線の取込み作業は簡略になっているが、光ファイバーケーブルや光集合ドロップケーブルなどを螺旋状ケーブル支持具内に通す際には、光ケーブルなどの屈曲することができないという性質のため、先に通線用のワイヤーを螺旋状ケーブル支持具内に通してから、そのワイヤーを光ケーブルなどに繋げてウインチなどで牽引するという作業が必要であり、時間、労力および作業に使用する設備を要するという問題がある。また、ワイヤーを通す際に螺旋状ケーブル支持具に引っ掛かって螺旋状ケーブル支持具が曲がってしまい、螺旋状ケーブル支持具の交換を要する場合があるという問題がある。
【０００７】
本発明の目的は、通線用のワイヤーやウインチを必要とせずに簡易かつ迅速に光ケーブルなどの通線を行うことができる螺旋状ケーブル支持具およびケーブル通線方法を提供することにある。
【課題を解決するための手段】
【０００８】
本発明の第１の螺旋状ケーブル支持具は、ケーブル（１２）を束ねて一束化するための螺旋状ケーブル支持具（１）であって、右回り螺旋部（４）と左回り螺旋部（５）とが軸線（２）に沿って交互に連続して連結されており、前記左回り螺旋部（５）が前記右回り螺旋部（４）に変わる部位がｎ型頂点（６）となっているとともに、前記右回り螺旋部（４）が前記左回り螺旋部（５）に変わる部位がｕ型頂点（７）となっており、前記ｎ型頂点（６）の位置が前記ｕ型頂点（７）の位置よりも上方であり、前記ｎ型頂点（６）と前記ｕ型頂点（７）との間の前記右回り螺旋部（４）によって構成される第１の区間（Ｐ1）および前記ｕ型頂点（７）と前記ｎ型頂点（６）との間の前記左回り螺旋部（５）によって構成される第２の区間（Ｐ2）を前記軸線（２）の方向に見ると、前記右回り螺旋部（４）および前記左回り螺旋部（５）が円を描き、前記第１の区間（Ｐ1）において前記ｎ型頂点（６）と前記ｕ型頂点（７）との間の前記右回り螺旋部（４）が描く円弧の第１の中心角（θ1）と前記第２の区間（Ｐ2）における前記左回り螺旋部（５）が描く円弧の第２の中心角（θ2）とが等しくかつ３６０°以上５４０°以下であり、前記第１および第２の区間（Ｐ1，Ｐ2）に前記軸線（２）と平行な波線状の空間（１５）を作り、前記ケーブル（１２）を、該ケーブル（１２）の一端から部分的に波線状に曲げながら前記空間（１５）を通して、前記軸線（２）に対して垂直な方向から前記螺旋状ケーブル支持具（１）に通線するようにしたことを特徴とする。
ここで、前記螺旋状ケーブル支持具（１）が、前記右回り螺旋部（４）または前記左回り螺旋部（５）を半分に分割した螺旋部（５ａ，５ｂ）を両端にそれぞれ有し、前記螺旋状ケーブル支持具（１）が、次の螺旋状ケーブル支持具と連結するための連結部材（８，９）を両端にそれぞれ有してもよい。
本発明の第２の螺旋状ケーブル支持具は、ケーブル（１２）を束ねて一束化するための螺旋状ケーブル支持具（３１；４１）であって、右回り螺旋部（３８；４８）と左回り螺旋部（３９；４９）とが軸線（２）に沿って交互に連続して連結されており、前記左回り螺旋部（３９；４９）が前記右回り螺旋部（３８；４８）に変わる部位がｎ型頂点（３６；４６）となっているとともに、前記右回り螺旋部（３８；４８）が前記左回り螺旋部（３９；４９）に変わる部位がｕ型頂点（３７；４７）となっており、前記ｎ型頂点（３６；４６）の位置が前記ｕ型頂点（３７；４７）の位置よりも下方であり、前記ｎ型頂点（３６；４６）と前記ｕ型頂点（３７；４７）との間の前記右回り螺旋部（３８；４８）によって構成される第１の区間（Ｐ31；Ｐ41）および前記ｕ型頂点（３７；４７）と前記ｎ型頂点（３６；４６）との間の前記左回り螺旋部（３９；４９）によって構成される第２の区間（Ｐ32；Ｐ42）を前記軸線（２）の方向に見ると、前記右回り螺旋部（３８；４８）および前記左回り螺旋部（３９；４９）がＣ字状の円弧を描き、前記第１の区間（Ｐ31；Ｐ41）における前記右回り螺旋部（３８；４８）が描くＣ字状の円弧の第１の中心角（θ31）と前記第２の区間（Ｐ32；Ｐ42）における前記左回り螺旋部（３９；４９）が描くＣ字状の円弧の第２の中心角（θ32）とが等しくかつ２７０°以上３６０°未満であり、前記第１および第２の区間（Ｐ31，Ｐ32；Ｐ41，Ｐ42）に前記軸線（２）と平行な直線状の空間（３５；４５）を作り、前記ケーブル（１２）を、曲げることなく前記空間（３５；４５）を通して、前記軸線（２）に対して垂直な方向から前記螺旋状ケーブル支持具（３１；４１）に通線するようにしたことを特徴とする。
ここで、前記第１の区間（Ｐ41）を前記軸線（２）の方向に見ると、前記ｕ型頂点（４７）が、前記右回り螺旋部（４８）が前記軸線（２）を中止として描くＣ字状の円弧（４０）の内側に食い込んでいてもよい。
前記螺旋状ケーブル支持具（３１；４１）が、前記右回り螺旋部（３８；４８）または前記左回り螺旋部（３９；４９）を半分に分割した螺旋部（３９ａ，３９ｂ；４９ａ，４９ｂ）を両端にそれぞれ有し、前記螺旋状ケーブル支持具（３１；４１）が、次の螺旋状ケーブル支持具と連結するための連結部材（８，９）を両端にそれぞれ有してもよい。
本発明の第３の螺旋状ケーブル支持具は、ケーブル（１２）を束ねて一束化するための螺旋状ケーブル支持具（５１）であって、第１の右回り螺旋部（５８ａ）および第１の左回り螺旋部（５８ｂ）を連ねてなる第１の螺旋部（５８）と、第２の右回り螺旋部（５９ｂ）および第２の左回り螺旋部（５９ａ）を連ねてなる第２の螺旋部（５９）とが、前記第１の右回り螺旋部（５８ａ）および前記第２の左回り螺旋部（５９ａ）の第１の軸線（６０）に沿って交互に連続して連結されており、前記第１の左回り螺旋部（５８ｂ）と前記第２の右回り螺旋部（５９ｂ）とが、前記第１の軸線（６０）と平行な第２の軸線（６１）を中心として形成されており、前記第２の左回り螺旋部（５９ａ）が前記第１の右回り螺旋部（５８ａ）に変わる部位がｎ型頂点（５６）となっているとともに、前記第１の左回り螺旋部（５８ｂ）が前記第２の右回り螺旋部（５９ｂ）に変わる部位がｕ型頂点（５７）となっており、前記第１の右回り螺旋部（５８ａ）によって構成される第１の区間（Ｐ51a）および前記第１の左回り螺旋部（５８ｂ）によって構成される第２の区間（Ｐ51b）を前記第１の軸線（６０）の方向に見ると、前記ｕ型頂点（５７）の片側の前記第１の左回り螺旋部（５８ｂ）が前記第２の軸線（６１）を中心とした、かつ、前記第１の右回り螺旋部（５８ａ）が描く前記第１の軸線（６０）を中心とした円弧と反対向きの曲線を有する円弧を描き、前記第１および第２の区間（Ｐ51a，Ｐ51b）と前記第２の左回り螺旋部（５９ａ）によって構成される第３の区間（Ｐ52a）と前記第２の右回り螺旋部（５９ｂ）によって構成される第４の区間（Ｐ52b）とに前記第１の軸線（６０）と平行な直線状の空間（５５）を作り、前記ケーブル（１２）を、曲げることなく前記空間（５５）を通して、前記第１の軸線（６０）に対して垂直な方向から前記螺旋状ケーブル支持具（５１）に通線するようにしたことを特徴とする。
ここで、前記螺旋状ケーブル支持具（５１）が、前記第１の螺旋部（５８）または前記第２の螺旋部（５９）を半分に分割した螺旋部（５９ｃ，５９ｄ）を両端にそれぞれ有し、前記螺旋状ケーブル支持具（５１）が、次の螺旋状ケーブル支持具と連結して延長するための連結部材（８，９）を両端にそれぞれ有してもよい。
【０００９】
本発明の第１のケーブル通線方法は、本発明の第１の螺旋状ケーブル支持具（１）にケーブル（１２）を通線するケーブル通線方法であって、前記ケーブル（１２）を、該ケーブル（１２）の一端から部分的に波線状に曲げながら前記波線状の空間（１５）を通して、前記軸線（２）に対して垂直な方向から前記螺旋状ケーブル支持具（１）に通線していくことを特徴とする。
本発明の第２のケーブル通線方法は、本発明の第２または第３の螺旋状ケーブル支持具（３１；４１；５１）にケーブル（１２）を通線するケーブル通線方法であって、前記ケーブル（１２）を、曲げることなく前記直線状の空間（３５；４５；５５）を通して、前記軸線（２）または前記第１の軸線（６０）に対して垂直な方向から前記螺旋状ケーブル支持具（３１；４１；５１）に通線していくことを特徴とする。
【発明の効果】
【００１０】
本発明の螺旋状ケーブル支持具およびケーブル通線方法は、以下に示すような効果を奏する。
（１）本発明の第１および第２の螺旋状ケーブル支持具では、右回り螺旋部と左回り螺旋部とを交互に連結して構成するとともに各螺旋部の軸線を中心とした巻き角度を２７０°以上５４０°以下とすることにより、右回りと左回りの連続する２つの螺旋部が形成する区間に、軸線と平行に波線状または直線状の空間を作ることができるため、この空間を通して軸線に対し垂直な方向から入れることができるので、従来の通線方法に加えて、通線用のワイヤーやウインチを必要とせずに簡易かつ迅速な光ケーブルなどの通線を行うことができる。
（２）本発明の第３の螺旋状ケーブル支持具でも、光ケーブルなどを第１の軸線に対し垂直な方向から入れることができるので、従来の通線方法に加えて、通線用のワイヤーやウインチを必要とせずに簡易かつ迅速な光ケーブルなどの通線を行うことができる。
（３）本発明の第３の螺旋状ケーブル支持具では、第１の軸線を軸とする右回り螺旋部および左回り螺旋部の描く円弧の半径や巻き角度の設計によりケーブルを通す空間の大きさを変えられるので、光ケーブルなどを螺旋状ケーブル支持具内に取り込む際の作業性や、風などの影響で螺旋状ケーブル支持具から光ケーブルが出てしまうことを防止することができる。
【発明を実施するための最良の形態】
【００１１】
通線用のワイヤーやウインチを必要とせずに簡易かつ迅速に光ケーブルなどの通線を行うという目的を、右回り螺旋部と左回り螺旋部とを交互に連続して連結するとともに右回り螺旋部および左回り螺旋部の軸線を中心とした巻き角度を２７０°以上５４０°以下とすることにより実現した。
【実施例１】
【００１２】
以下、本発明の螺旋状ケーブル支持具およびケーブル通線方法の実施例について、図面を参照して説明する。
本発明の第１の実施例による螺旋状ケーブル支持具１は、図１に示すように、軸線２の一方向（たとえば、白抜き矢印３の方向）に対し、右回りの螺旋を形成する右回り螺旋部４と、左回りの螺旋を形成する左回り螺旋部５とを、右回り螺旋部４および左回り螺旋部５の軸線２を中心とした巻き角度を３６０°以上５４０°以下の一定の角度として、交互に連続して連結することにより、構成されている。
【００１３】
ただし、螺旋状ケーブル支持具１の両端の螺旋部５ａ，５ｂはそれぞれ、左回り螺旋部５を半分に分割したものである。
【００１４】
螺旋状ケーブル支持具１は、次の螺旋状ケーブル支持具１と連結するための連結部材（カプラ）８，９を両端にそれぞれ有し、螺旋状ケーブル支持具１のカプラ８と次の螺旋状ケーブル支持具１のカプラ９とを接続した状態では、螺旋状ケーブル支持具１の螺旋部５ａと次の螺旋状ケーブル支持具１の螺旋部５ｂとが連なって１つの左回り螺旋部を形成する。したがって、螺旋状ケーブル支持具１をいくつも順次連結した状態では、右回り螺旋部４と左回り螺旋部５とが軸線２を中心として交互に連続して連結された構成になる。
【００１５】
なお、白抜き矢印３の方向において、左回り螺旋部５が右回り螺旋部４に変わる部位６（左回りの螺旋が右回りの螺旋に変わる部位）は上向きの頂点（英文字“ｎ”の頂点）となっており、右回り螺旋部４が左回り螺旋部５に変わる部位７（右回りの螺旋が左回りの螺旋に変わる部位）は下向きの頂点（英文字“ｕ”の頂点）となっている。したがって、本明細書では、部位６を「ｎ型頂点」といい、部位７を「ｕ型頂点」という。
【００１６】
螺旋状ケーブル支持具１の素材は、鋼鉄線材などのある程度の硬度を持つ素材をポリエチレン樹脂などの摩擦係数の低い素材で被覆したものであり、また、螺旋状ケーブル支持具１の軸線２の方向の長さは、たとえば１５０ｃｍである。
なお、螺旋状ケーブル支持具１を弾性のある素材で形成する場合には、螺旋状ケーブル支持具１の設置前と設置後とで全体の寸法や各螺旋部の軸線２を中心とした巻き角度が異なるので、本明細書では、それらの値は螺旋状ケーブル支持具１の設置後の値とする。
【００１７】
次に、電柱などの支柱間に設置された支持線に対し螺旋状ケーブル支持具１を設置する方法について、図４を参照して説明する。
作業員２０は、２本の支柱２１，２２間に予め架空した支持線１１に螺旋状ケーブル支持具１の一端を引っ掛けたのち、螺旋状ケーブル支持具１を支持線１１に沿って滑らせていき、螺旋状ケーブル支持具１の他端まで滑らせると、螺旋状ケーブル支持具１のカプラ８に次の螺旋状ケーブル支持具１のカプラ９を係合させることによって、螺旋状ケーブル支持具１と次の螺旋状ケーブル支持具１とを連結する。この作業を螺旋状ケーブル支持具１が２本の支柱２１，２２間に渡るまで繰り返したのち、連結された螺旋状ケーブル支持具１の両端を２本の支柱２１，２２近傍の支持線１１に固定する。
【００１８】
次に、螺旋状ケーブル支持具１に光ケーブル１２などのケーブルを通す方法（ケーブル通線方法）について、図２および図３を参照して説明する。なお、以下では、螺旋状ケーブル支持具１に光ケーブル１２を通す場合について説明する。
図２に示すように、螺旋状ケーブル支持具１のｎ型頂点６とｕ型頂点７との間の右回り螺旋部４によって構成される区間をＰ1とし、ｕ型頂点７とｎ型頂点６との間の左回り螺旋部５によって構成される区間をＰ2とすると、この２つの区間Ｐ1，Ｐ2の長さは等しい（Ｐ1＝Ｐ2）。また、１つの区間Ｐ1，Ｐ2の右回り螺旋部４および左回り螺旋部５の形状は、ｕ型頂点７またはｎ型頂点６を挟んで線対称である。
【００１９】
軸線２と平行な第１の補助線１３で示すｎ型頂点６の位置は、第２の補助線１４で示すｕ型頂点７の位置よりも上方である。螺旋状ケーブル支持具１の区間Ｐ1および区間Ｐ2を図２の左側から軸線２の方向に見ると、図３に示すように、各螺旋部（右回り螺旋部４および左回り螺旋部５）は円を描き、区間Ｐ1においてｎ型頂点６とｕ型頂点７との間の右回り螺旋部４が描く円弧の中心角θ1は３６０°以上５４０°以下（図示例では、約４５０°）である。また、区間Ｐ2における左回り螺旋部５が描く円弧の中心角θ2は、区間Ｐ1においてｎ型頂点６とｕ型頂点７との間の右回り螺旋部４が描く円弧の中心角θ1と等しい（θ1＝θ2）。
【００２０】
このため、図２において平行な２本の破線で示される空間１５に沿って光ケーブル１２を曲げることにより、軸線２に対して垂直な方向から光ケーブル１２を入れること（通線）ができる。実際には、光ケーブル１２の全長にわたって空間１５のように波線状に曲げることは困難であるから、光ケーブル１２の一端から部分的に波線状に曲げながら入れていく。
【００２１】
通線後は、たとえば光ケーブル１２の両端を固定すれば、張力が働き、光ケーブル１２が波線１５のように曲がることはないので、風などで螺旋状ケーブル支持具１が揺れたりしても、螺旋状ケーブル支持具１から光ケーブル１２が出てしまうことを防止することができる。
【００２２】
ここで、螺旋状ケーブル支持具１の各螺旋部（右回り螺旋部４および左回り螺旋部５）の軸線２を中心とした巻き角度（中心角θ1，θ2）は、通線する光ケーブル１２の許容曲げ半径および曲げやすさに依存して設計される。たとえば、許容曲げ半径が小さくかつ曲げやすい場合には、風などの影響で螺旋状ケーブル支持具１から光ケーブル１２が出てしまう可能性が高いので、各螺旋部の巻き角度を大きくする。逆に、許容曲げ半径が大きくかつ曲げにくい場合には、作業性を高めるため、各螺旋部の巻き角度を小さくする。
【００２３】
次に、光ケーブル１２を通線する手順について、図５を参照して説明する。
予め光ケーブル１２の一端をクロージャ２３に固定しておく。
挿入補助棒２７を使用する場合には、地上作業員２６は、先がＵ字状の挿入補助棒２７を使い、クロージャ２３に近い端から、上述した方法で光ケーブル１２を曲げながら螺旋状ケーブル支持具１内に取り込む。地上作業員２８は、ケーブルドラム２９から光ケーブル１２を繰り出し、地上作業員２６を補助する。
また、バケット車２４を使用する場合には、クロージャ２３に近い端から、バケット作業員２５が、上述した方法で光ケーブル１２を曲げながら螺旋状ケーブル支持具１内に取り込む。地上作業員２８は、ケーブルドラム２９から光ケーブル１２を繰り出し、バケット作業員２５を補助する。
【実施例２】
【００２４】
次に、本発明の第２の実施例による螺旋状ケーブル支持具について、図６および図７を参照して説明する。
本実施例による螺旋状ケーブル支持具３１は、非常に許容曲げ半径が大きく、曲げにくい線材を使用し、作業性を重視する場合に有効なものであり、図６に示すように、軸線２と平行な第１の補助線３３で示すｎ型頂点３６の位置が第２の補助線３４で示すｕ型頂点３７の位置より下方にある点で、上述した第１の実施例による螺旋状ケーブル支持具１と異なる。
【００２５】
ｎ型頂点３６とｕ型頂点３７との間の右回り螺旋部３８によって構成される区間をＰ31とし、ｕ型頂点３７とｎ型頂点３６との間の左回り螺旋部３９によって構成される区間をＰ32とする。また、螺旋状ケーブル支持具３１の両端の螺旋部３９ａ，３９ｂはそれぞれ、左回りの螺旋部３９を半分に分割したものであり、上述した第１の実施例による螺旋状ケーブル支持具１における螺旋部５ａ，５ｂと同様に、連なって１つの左回りの螺旋部を形成する。
【００２６】
螺旋状ケーブル支持具３１の区間Ｐ31を図６の左側から軸線２の方向に見ると、図７に示すように、ｎ型頂点３６とｕ型頂点３７との間の右回り螺旋部３８がＣ字状の円弧を描く。その中心角θ31は２７０°以上３６０°未満（図示例では、約２７０°）である。区間Ｐ32における左回り螺旋部３９が描く円弧の中心角θ32は、ｎ型頂点３６とｕ型頂点３７との間の右回り螺旋部３８が描く円弧の中心角θ31と等しい（θ31＝θ32）。
【００２７】
このため、図６において平行な２本の破線で示される空間３５に、光ケーブル１２などを曲げることなく、軸線２に対して垂直な方向からの通線することが可能である。ただし、通線後に風などで螺旋状ケーブル支持具３１が揺れたりして、螺旋状ケーブル支持具３１から支持線１１や光ケーブル１２が出てしまう可能性が、上述した第１の実施例による螺旋状ケーブル支持具１と比較すると若干高くなる。
【実施例３】
【００２８】
次に、本発明の第３の実施例による螺旋状ケーブル支持具について、図８および図９を参照して説明する。
本実施例による螺旋状ケーブル支持具４１は、作業性を重視しつつも安全性を確保したものである。
【００２９】
ｎ型頂点４６とｕ型頂点４７との間の右回り螺旋部４８によって構成される区間をＰ41とし、ｕ型頂点４７とｎ型頂点４６との間の左回り螺旋部４９によって構成される区間をＰ42とする。２つの区間Ｐ41，Ｐ42の右回り螺旋部４８および左回り螺旋部４９の形状は、ｕ型頂点４７またはｎ型頂点４６を挟んで線対称である。また、螺旋状ケーブル支持具４１の両端の螺旋部４９ａ，４９ｂはそれぞれ、左回りの螺旋部４９を半分に分割したものであり、上述した第１の実施例による螺旋状ケーブル支持具１における螺旋部５ａ，５ｂと同様に、連なって１つの左回りの螺旋部を形成する。
【００３０】
螺旋状ケーブル支持具４１の区間Ｐ41を図８の左側から軸線２の方向に見ると、図９に示すように、ｕ型頂点４７が、螺旋部４８が軸線２を中心として描く円弧４０の内側に食い込んでいる。その結果、ｕ型頂点４７とｎ型頂点４６との間の空間４５に光ケーブル１２を通すことが可能なので、図８において平行な２本の破線で示される空間４５に、光ケーブル１２を曲げることなく、軸線２に対して垂直な方向から通線することが可能であり、かつ、通線後に風などで螺旋状ケーブル支持具４１が揺れたりして、螺旋状ケーブル支持具４１から光ケーブル１２が出てしまうことを防止することができる。
【実施例４】
【００３１】
次に、本発明の第４の実施例による螺旋状ケーブル支持具について、図１０および図１１を参照して説明する。
本実施例による螺旋状ケーブル支持具５１は、上述した第３の実施例による螺旋状ケーブル支持具４１と同様に、作業性を重視しながら安全性をも確保したものである。
【００３２】
螺旋状ケーブル支持具５１は、図１０に示すように、右回り螺旋部５８ａと左回り螺旋部５８ｂが連なって第１の螺旋部５８を、右回り螺旋部５９ｂと左回り螺旋部５９ａが連なって第２の螺旋部５９をそれぞれ形成し、第１および第２の螺旋部５８，５９を右回り螺旋部５８ａと左回り螺旋部５９ａとの第１の軸線（中心軸線）６０に沿って交互に連続して構成したものである。
【００３３】
右回り螺旋部５８ａによって構成される区間をＰ51aとし、左回り螺旋部５９ａによって構成される区間をＰ52aとすると、両区間Ｐ51a，Ｐ52aの長さは等しい。また、左回り螺旋部５８ｂによって構成される区間をＰ51bとし、右回り螺旋部５９ｂによって構成される区間をＰ52bとすると、両区間Ｐ51b，Ｐ52bの長さは等しい。
【００３４】
２つの区間Ｐ51a，Ｐ51bの右回り螺旋部５８ａおよび左回り螺旋部５８ｂの形状と、２つの区間Ｐ52a，Ｐ52bの左回り螺旋部５９ａおよび右回り螺旋部５９ｂの形状とは、ｕ型頂点５７またはｎ型頂点５６を挟んで線対称である。
螺旋状ケーブル支持具５１の両端の螺旋部５９ｃ，５９ｄはそれぞれ、第２の螺旋部５９を半分に分割したものであり、上述した第１の実施例による螺旋状ケーブル支持具１における螺旋部５ａ，５ｂと同様に、連なって一つの第２の螺旋部を形成する。
【００３５】
螺旋状ケーブル支持具５１の区間Ｐ51aおよび区間Ｐ51bを図１０の左側から第１の軸線６０の方向に見ると、図１１に示すように、ｕ型頂点５７の片側の左回り螺旋部５８ｂが第２の軸線６１を中心とした円弧を描き、この円弧は、右回り螺旋部５８ａが描く第１の軸線６０を中心とした円弧と反対向きの曲線を有するため、全体としてＳ字状の曲線を描く。そのため、図１０において平行な２本の破線で示される空間５５に、光ケーブル１２を曲げることなく、第１の軸線６０に対して垂直な方向から螺旋状ケーブル支持具５１に通線していくことができる。
【００３６】
これにより、上述した第４の実施例による螺旋状ケーブル支持具４１と同様の効果に加えて、光ケーブル１２の許容曲げ半径および曲げやすさに応じて、個々に作業性および安全性を考慮した設計をすることが可能となる。
【００３７】
すなわち、第１の軸線を軸とする右回り螺旋部５８ａおよび左回り螺旋部５９ｂの描く円弧の半径や巻き角度の設計により光ケーブル１２を通す空間５５の大きさが変わり、光ケーブル１２を螺旋状ケーブル支持具５１内に取り込む際の作業性や、風などの影響で螺旋状ケーブル支持具から光ケーブル１２が出てしまうことを防止することができる。
【００３８】
第２乃至第４の実施例による螺旋状ケーブル支持具３１，４１，５１の設置方法および光ケーブル１２の通線方法は、上述した第１の実施例による螺旋状ケーブル支持具１の場合と同様である。
また、第１乃至第４の実施例による螺旋状ケーブル支持具１，３１，４１，５１は、従来の光ケーブル１２などの通線方法でも使用可能である。
【産業上の利用可能性】
【００３９】
以上説明したように、本発明の螺旋状ケーブル支持具は、たとえば、電線や光ケーブルなどのケーブルを束ねて一束化して架空支持するのに利用することができる。
【図面の簡単な説明】
【００４０】
【図１】本発明の第１の実施例による螺旋状ケーブル支持具の構成を示す斜視図である。
【図２】図１に示した螺旋状ケーブル支持具１における通線方法を示す正面図である。
【図３】図１に示した螺旋状ケーブル支持具１の区間Ｐ1および区間Ｐ2を左側から軸線２の方向に見た図である。
【図４】電柱などの支柱間に設置された支持線に対する図１に示した螺旋状ケーブル支持具１の設置方法を示す図である。
【図５】図４に示した設置方法で設置された螺旋状ケーブル支持具１に光ケーブルを通線する方法を示す図である。
【図６】第２の実施例による螺旋状ケーブル支持具における通線方法を示す正面図である。
【図７】図６に示した螺旋状ケーブル支持具３１の区間Ｐ31を左側から軸線２の方向に見た図である。
【図８】第３の実施例による螺旋状ケーブル支持具における通線方法を示す正面図である。
【図９】図８に示した螺旋状ケーブル支持具４１の区間Ｐ41を左側から軸線２の方向に見た図である。
【図１０】第４の実施例による螺旋状ケーブル支持具における通線方法を示す正面図である。
【図１１】図１０に示した螺旋状ケーブル支持具５１の区間Ｐ51aおよび区間Ｐ51bを左側から第１の軸線６０の方向に見た図である。
【符号の説明】
【００４１】
１，３１，４１，５１  螺旋状ケーブル支持具
２  軸線
３  白抜き矢印
４，３８，４８，５８ａ，５９ｂ  右回り螺旋部
５，３９，４９，５８ｂ，５９ａ  左回り螺旋部
５ａ，５ｂ，３９ａ，３９ｂ，４９ａ，４９ｂ  左回り螺旋部の一部
６，３６，４６，５６  ｎ型頂点
７，３７，４７，５７  ｕ型頂点
８，９  カプラ
１１  支持線
１２  光ケーブル
１３，１４，３３，３４  補助線
１５，３５，４５，５５  空間
２０  作業員
２１，２２  支柱
２３  クロージャ
２４  バケット車
２５  バケット作業員
２６，２８  地上作業員
２７  挿入補助棒
２９  ケーブルドラム
４０  円
５８  第１の螺旋部
５９  第２の螺旋部
５９ｃ，５９ｄ  第２の螺旋部の一部
６０  第１の軸線
６１  第２の軸線
【図１】
0004439458.tif 000002
【図２】
0004439458.tif 000003
【図３】
0004439458.tif 000004
【図４】
0004439458.tif 000005
【図５】
0004439458.tif 000006
【図６】
0004439458.tif 000007
【図７】
0004439458.tif 000008
【図８】
0004439458.tif 000009
【図９】
0004439458.tif 000010
【図１０】
0004439458.tif 000011
【図１１】
0004439458.tif 000012